(57)【要約】【課題】電動丸鋸工具のぶれ現象を確実に阻止し、きれいな切り口にてカットができるようにした。【解決手段】上壁面部と下壁面部と左側壁面部と右側壁面部からなる平板状摺動当て部の所定部位の右側壁面部から左側壁面部にかけて細長く、右側壁面部から左側壁面部にかけての内側の中間部位に段部が形成され、右側壁面部側方を小径とし、左側壁面部側方を大径とする細長形状貫通孔を形成し、平板状摺動当て部の上壁面部と下壁面部の高さと略同一の定規取り付け板体の外側面部に蝶ネジを取付けた定規取付けバンド部を取付け、バンド部を取付けた部位より若干の間隔を有する定規取り付け板体の部位に、平板体摺動部の貫通孔と略同等の形状の窓孔を形成した。【選択図】    図１
0003131000.tif 000002
【実用新案登録請求の範囲】
【請求項１】
電動丸鋸に装着のベース体に形成の挿入孔に挿入する電動丸鋸用定規において、
上壁面部と下壁面部と左側壁面部と右側壁面部からなる平板状摺動当て部の所定部位の前記右側壁面部から前記左側壁面部にかけて細長く、且前記右側壁面部から前記左側壁面部にかけての内側の中間部位に段部が形成され、前記右側壁面部側方を小径とし、他方左側壁面部側方を大径とする細長形状貫通孔を形成し、前記平板状摺動当て部の上壁面部と下壁面部の高さと同一もしくは若干短い幅員の定規取り付け板体の外側面部に蝶ネジを取付けた定規取付けバンド部を取付けると共に、前記バンド部を取付けた部位より若干の間隔を有する前記定規取り付け板体の部位に、前記平板体摺動部の貫通孔と同等もしくは若干大きい形状の窓孔を形成し、前記窓孔と相似形状の外側窓孔を有し、且頭部付きボルトを前記貫通孔の段部に前記ボルトの頭部を係止せしめ、前記貫通孔から前記外側窓孔へ飛出し、前記ボルトに螺ナットを螺着せしめる補助定規体の取付けバンド部を、前記取付け板体の外側面部に前記外側面部より若干外側方に所定の間隔を設けて飛出させて取着し、前記取付け板体を前記摺動当て部に固着せしめると共に、前記目盛付き定規体の折曲部を、前記定規取付けバンド部と前記定規取付け板との間にネジを介して前記摺動当て部に対し直交状に固着し、前記補助定規体の折曲部を前記取付け板体と補助定規体の取付けバンド部との間に嵌挿し、前記補助定規体が前記摺動当て部と直交するよう前記頭部付きボルトとナットとをもって前記補助定規体をスライド自在に固定せしめることを特徴とする電動丸鋸用定規。
【請求項２】
前記目盛付き定規体と前記補助定規体の一端の折曲部を、夫々前記摺動当て部の上壁面部と下壁面部との高さより短く、且直角状に折曲せしめることを特徴とする請求項１記載の電動丸鋸用定規。
【請求項３】
前記頭部付きボルトの頭部が、前記平板状摺動部の左側壁面部より飛出しない形状であることを特徴とする請求項１又は同２記載の電動丸鋸用定規。
【請求項４】
前記平板状摺動部を木製とし、前記定規取り付け板体を金属板製とすることを特徴とする請求項１又は同２又は同３記載の電動丸鋸用定規。
【考案の詳細な説明】
【技術分野】
【０００１】
本考案は、電動丸鋸に装着するベース体に挿入して使用する定規体を２本にして、前記丸鋸でのカッター作業時に丸鋸が揺動することなく、安定して切断作業がきるようにした電動丸鋸用定規の分野に関するものである。
【背景技術】
【０００２】
従来、電動丸鋸工具の切断幅決め定規として、登録第３０５１８７４号の登録実用新案公報が開示されている。
【０００３】
前記開示の登録実用新案公報の電動丸鋸工具の切断幅決め定規は、工具本体Ｂのベース部Ｂ−１に、丸鋸刃４の切断直進方向Ｘに対して直交状に且水平移動可能に装着される支持バー１・・・と記載されているように、前記目盛付き支持バー１は、一本しか使用されていない。
【０００４】
さらに、従来現物で丸鋸を使用する場合、基準の定規は付属のものを使用するか、あるいは市販されている一本の丸鋸用定規を使用していた。
【０００５】
また、丸鋸用一本定規は、丸鋸の工具を本体及び丸鋸刃の前方部に取着するため、板材等の切断時において、定規が一本のため不安定であり、しかも微妙に曲がりやすかった。従って電動丸鋸の作業時において、前記工具本体及び丸鋸刃を確実に直進させるのに、進行上のスピード等においてより慎重さが要求されていた。
【０００６】
【特許文献１】登録第３０５１８７４号実用新案公報
【考案の開示】
【考案が解決しようとする課題】
【０００７】
上記電動丸鋸工具の切断幅決め定規のように、電動丸鋸を介して、板材を所定の幅員にて切断するには、前記電動丸鋸がぶれないでカットすることが要求されている。
【０００８】
さらに、電動丸鋸を介して所定の幅員の板材をカットするのに、作業のスピード化も要求されている。
【０００９】
しかるに、本考案は、従来から電動丸鋸ベースに設けられている前方部と後方部の２個所に定規を挿入する嵌挿孔があることに着眼し、創作するに至ったものである。
【００１０】
従って、本考案の創作の目的は、平板状摺動部等と一体に固着した１本の目盛付き定規体は、電動丸鋸ベース体の前方部に設けられている嵌挿孔に挿入して、板材のカット寸法の測定を容易にし、前記ベース体の後方部に設けられている嵌挿孔には、平板状摺動部等に対しスライド自在な補助定規体（目盛なし）を前記ベース体の嵌挿孔に挿入することによって、電動丸鋸工具のぶれ現象を確実に阻止し、きれいな切り口にてカットができるようにした。
【００１１】
さらに、本考案は、前記のとおり、電動丸鋸工具のぶれ現象を確実に阻止して、作業性を著しく高めた。
【００１２】
また、本考案は、後方部の補助定規体をスライド自在にしたので、電動丸鋸工具の中、殊にベース体に設けられた嵌挿孔の位置が異なっていても、スライドすることによって十分な対応ができるようにした。
【００１３】
さらに、本考案は、メーカーによって前記ベース体の嵌挿孔が一個しかない場合、後方の補助定規体を取外すことによって対応できるようにした。
【００１４】
また、本考案は、ベース体の後方部の嵌挿孔に挿入する２本目の定規体を取着する頭部付きボルトの頭部が、前記平板状摺動部の左側壁面部より食み出さないようにセットして、板材の端縁部を摺動する平板状摺動部の滑りを阻害しないようにした。
【課題を解決するための手段】
【００１５】
課題を解決するための手段として、請求項１記載の考案は、電動丸鋸に装着のベース体に形成の挿入孔に挿入する電動丸鋸用定規において、
上壁面部と下壁面部と左側壁面部と右側壁面部からなる平板状摺動当て部の所定部位の前記右側壁面部から前記左側壁面部にかけて細長く、且前記右側壁面部から前記左側壁面部にかけての内側の中間部位に段部が形成され、前記右側壁面部側方を小径とし、他方左側壁面部側方を大径とする細長形状貫通孔を形成し、前記平板状摺動当て部の上壁面部と下壁面部の高さと同一もしくは若干短い幅員の定規取り付け板体の外側面部に蝶ネジを取付けた定規取付けバンド部を取付けると共に、前記バンド部を取付けた部位より若干の間隔を有する前記定規取り付け板体の部位に、前記平板体摺動部の貫通孔と同等もしくは若干大きい形状の窓孔を形成し、前記窓孔と相似形状の外側窓孔を有し、且頭部付きボルトを前記貫通孔の段部に前記ボルトの頭部を係止せしめ、前記貫通孔から前記外側窓孔へ飛出し、前記ボルトに螺ナットを螺着せしめる補助定規体の取付けバンド部を、前記取付け板体の外側面部に前記外側面部より若干外側方に所定の間隔を設けて飛出させて取着し、前記取付け板体を前記摺動当て部に固着せしめると共に、前記目盛付き定規体の折曲部を、前記定規取付けバンド部と前記定規取付け板との間にネジを介して前記摺動当て部に対し直交状に固着し、前記補助定規体の折曲部を前記取付け板体と補助定規体の取付けバンド部との間に嵌挿し、前記補助定規体が前記摺動当て部と直交するよう前記頭部付きボルトとナットとをもって前記補助定規体をスライド自在に固定せしめることを特徴とする電動丸鋸用定規である。
【００１６】
課題を解決するための手段として、請求項２記載の考案は、前記目盛付き定規体と前記補助定規体の一端の折曲部を、夫々前記摺動当て部の上壁面部と下壁面部との高さより短く、且直角状に折曲せしめることを特徴とする請求項１記載の電動丸鋸用定規である。
【００１７】
課題を解決するための手段として、請求項３記載の考案は、前記頭部付きボルトの頭部が、前記平板状摺動部の左側壁面部より飛出しない形状であることを特徴とする請求項１又は同２記載の電動丸鋸用定規である。
【００１８】
課題を解決するための手段として、請求項４記載の考案は、前記平板状摺動部を木製とし、前記定規取り付け板体を金属板製とすることを特徴とする請求項１又は同２又は同３記載の電動丸鋸用定規である。
【考案の効果】
【００１９】
請求項１記載の電動丸鋸用定規は、電動丸鋸に装着のベース体に形成の挿入孔に挿入する電動丸鋸用定規において、上壁面部と下壁面部と左側壁面部と右側壁面部からなる平板状摺動当て部の所定部位の前記右側壁面部から前記左側壁面部にかけて細長く、且前記右側壁面部から前記左側壁面部にかけての内側の中間部位に段部が形成され、前記右側壁面部側方を小径とし、他方左側壁面部側方を大径とする細長形状貫通孔を形成し、前記平板状摺動当て部の上壁面部と下壁面部の高さと同一もしくは若干短い幅員の定規取り付け板体の外側面部に蝶ネジを取付けた定規取付けバンド部を取付けると共に、前記バンド部を取付けた部位より若干の間隔を有する前記定規取り付け板体の部位に、前記平板体摺動部の貫通孔と同等もしくは若干大きい形状の窓孔を形成し、前記窓孔と相似形状の外側窓孔を有し、且頭部付きボルトを前記貫通孔の段部に前記ボルトの頭部を係止せしめ、前記貫通孔から前記外側窓孔へ飛出し、前記ボルトに螺ナットを螺着せしめる補助定規体の取付けバンド部を、前記取付け板体の外側面部に前記外側面部より若干外側方に所定の間隔を設けて飛出させて取着し、前記取付け板体を前記摺動当て部に固着せしめると共に、前記目盛付き定規体の折曲部を、前記定規取付けバンド部と前記定規取付け板との間にネジを介して前記摺動当て部に対し直交状に固着し、前記補助定規体の折曲部を前記取付け板体と補助定規体の取付けバンド部との間に嵌挿し、前記補助定規体が前記摺動当て部と直交するよう前記頭部付きボルトとナットとをもって前記補助定規体をスライド自在に固定せしめることを特徴とする電動丸鋸用定規なので、電動丸鋸工具のベース体の嵌挿孔に２本の定規体を確実に嵌挿して、電動丸鋸を駆動せしめても、進行方向に対し丸鋸の刃部がぶれたりしない利点を有している。
【００２０】
さらに、本考案は、前記のとおり電動丸鋸が切断作業中に前記２本の定規体によって、前記電動丸鋸を確実に支持するので、前記電動丸鋸の切断時のスピードをアップせしめても、ぶれたりしない。
【００２１】
また、本考案は、前記のとおり２本の定規体を前記ベース体に固定し電動丸鋸工具を駆動せしめ、前記電動丸鋸工具がぶれずに進行し板材を切断するので、板材の切り口をきれいに仕上げることができる。
【００２２】
さらに、本考案は、後方の定規体をスライド自在にしたので、どのメーカー品のベース体にも適用できる利点を有している。
【００２３】
また、本考案は、メーカーによってベース体に設けられている嵌挿孔が一個の場合でも、前記後方の定規体を取外すことによって、他の目盛付き定規体のみで使用できる利点を有している。
【００２４】
請求項２記載の考案は、前記目盛付き定規体と前記補助定規体の一端の折曲部を、夫々前記摺動当て部の上壁面部と下壁面部との高さより短く、且直角状に折曲せしめる電動丸鋸用定規なので、前記請求項１記載の考案と同じ効果を有している。
【００２５】
請求項３記載の考案は、前記頭部付きボルトの頭部が、前記平板状摺動部の左側壁面部より飛出しない形状である電動丸鋸用定規なので、前記請求項１又は同２記載の考案と同じ効果を有している。
【００２６】
請求項４記載の考案は、前記平板状摺動部を木製とし、前記定規取り付け板体を金属板製とする電動丸鋸用定規なので、前記請求項１又は同２又は同３記載の考案と同じ効果を有している。
【考案を実施するための最良の形態】
【００２７】
本考案の請求項１〜４記載の考案に関する実施形態は、共通しているので一括して以下のとおり説明する。
【００２８】
図面においてＡは本考案電動丸鋸用定規であり、以下の構成からなっている。
【００２９】
ａは前記電動丸鋸用定規Ａを構成する木板状摺動当て部であり以下の構成からなっている。
【００３０】
前記摺動当て部ａは、断面が四辺形状をしており、上壁面部１と下壁面部２と左側壁面部３と右側壁面部４とからなっている。図面図示のとおり、前記左側面部３と右側壁面部４との幅員は、前記上壁面部１と下壁面部２との長さより短く形成されている。
【００３１】
さらに、前記左側壁面部３は、切断用木板５の端縁部５に当ててスライドをスムーズにせしめるために平滑状に形成されている。また前記右側壁面部４も平滑状に形成されている。
【００３２】
さらに、前記摺動当て部ａの所定部位の前記右側壁面部４から前記左側壁面部３にかけて細長く、且前記右側壁面部４から左側壁面部３にかけての内側の中間部位に、段部６を形成する。
【００３３】
そして、前記右側壁面部４側方を小径とし、他方左側壁面部３側方を大径とする細長形状貫通孔７を形成する。
【００３４】
前記段部６も、前記細長形状貫通孔７に比例して同じ長さ分だけ形成する。
【００３５】
８は前記摺動当て部ａの右側壁面部４に密着せしめ固着する金属板製の定規取付け物体であり、以下の構成からなっている。
【００３６】
前記定規取付け板体８は、前記摺動当て部ａの上壁面部１と下壁面部２の高さと同一もしくは若干短い幅員を有している。前記定規取付け物体８の外側面部９に螺ネジ１１を取付けた定規取付けバンド部１０を取付ける。
【００３７】
さらに、前記定規取付け物体８に、前記バンド部１０より若干の間隔を開けて窓孔１２を形成する。
【００３８】
その窓孔１２の形状は、前記平板状摺動当て部ａの貫通孔７より若干大きい形状とする。
【００３９】
１３は補助定規体ｃの取付けバンド部であり、前記貫通孔７と相似形状の外側窓孔１４を有する。１５は幅員１６付きボルトであり、この頭部１６は、前記貫通孔７より前記外側窓孔１４へ飛出する。前記のように飛出したボルト１５に螺ナット１７を螺着する。
【００４０】
前記のように構成の補助定規体ｃの取付けバンド部１３は、前方部と後方部とを折曲して脚部１８を形成し、前記取付け物体８の外側面部９より若干外側方に所定の間隙部１９を設けて前記脚部１８と前記取付け板部８に固着する。前記の固着時には、前記貫通孔７と前記窓孔１２と前記外側窓孔１４とが合致するように固着される。
【００４１】
ｂは表面部２０に目盛２１を付した目盛付き定規体であり、その一端部は直角状に折曲して折曲部２２する。この折曲部２２の高さは、前記摺動当て部ａの上壁面部１と下壁面部２との高さより短い形状とする。この定規体ｂは、折曲部２２を取付けバンド部１０と定規取付け板体８との間に嵌挿し、前記螺ネジ１１を締付けて前記定規体ｂを固定する。しかし、前記折曲部２２に貫通孔を設け前記螺ネジ１１を前記貫通孔にも螺着し強く固定してもよい。
【００４２】
前記のように組立てられた定規体ｂは、前記摺動当て部ａに対し、図面図示のように平面よりみて直角状に固定されている。
【００４３】
ｃは補助定規体であり、その一端部には直角状に、且前記頭部付ボルト１５のボルト１５が貫通する貫通孔２３を有する折曲部２４を構成する。前記折曲部２４の長さも、前記目盛付き定規体ｂの折曲部２２と同じである。
【００４４】
前記補助定規体ｃは、折曲部２４を前記取付け板体８と前記補助定規取付けバンド部１３との間に嵌挿し、前記貫通孔７・・・に貫通せしめた頭部付ボルト１５を前記折曲部２４の貫通孔２３に貫通し、ナット１７をもって貫通孔７と窓孔１２と外側窓孔１４とをスライド自在に固定する。その結果、前記補助定規体ｃは、図面図示のように、前記摺動当て部ａに対し、平面よりみて直角状に固定されている。
【００４５】
さらに、前記頭部付きボルト１５の頭部１６は、前記貫通孔７に形成の段部６に係止されており、その係止時に前記ボルト１５の頭部１６が前記摺動当て部ａの左側壁面部４より飛出しない形状である。
【００４６】
ｄは電動丸鋸であり、ｅは前記電動丸鋸ｄに付設のベース体である。このベース体ｅには、ベース体ｅを構成する囲壁部２６に、前記目盛付き定規体ｂ等を挿入せしめる挿入孔２７が形成されている。前記挿入孔２７は、通常２箇所対称的に形成されているが、メーカーによっては一箇所しか形成していないベース体ｅもある。
【００４７】
本考案の電動丸鋸用定規Ａの２本の定規体を前記ベース体ｅの挿入孔２７に挿入せしめるには、従来使用してきた一本の定規の挿入手法と同じである。
【００４８】
しかし、前記ベース体ｅの挿入孔２７の間隔はメーカーによって若干相違しているので、本考案の補助定規体ｃをスライド式にして、どのメーカーのベース体ｅでも適用できるようにした。
【００４９】
前記のように、ベース体ｅの挿入孔２７に挿入した本考案の定規Ａは、前記摺動当て部ａを切断用板材５の端縁部５に当ててやる。
【００５０】
そして所定の幅員に切断するには、前記目盛付き定規体ｂの目盛に合せて位置決めをする。
【００５１】
上記のように、セットされた後、電動丸鋸ｄを前進させれば、前記定規Ａの２本の定規体ｂ、ｃがベース体ｅに確実固定されているので、電動丸鋸ｄの進行時にぶれが生じない利点を有している。
【図面の簡単な説明】
【００５２】
【図１】本考案電動丸鋸用定規の正面図である。
【００５３】
【図２】同定規の正面図である。
【００５４】
【図３】同定規の一部切欠拡大右側面図である。
【００５５】
【図４】同定規の一部切欠拡大左側面図である。
【００５６】
【図５】同定規の使用状態を示す一部切欠平面図である。
【００５７】
【図６】図５の一部切欠右側面図である。
【符号の説明】
【００５８】
Ａ        定規
ａ        摺動当て部
ｂ        目盛付き定規体
ｃ        補助定規体
ｄ        丸鋸
ｅ        ベース体
１        上壁面部
２        下壁面部
３        左側壁面部
４        右側壁面部
５        端縁部
６        段部
７        貫通孔
８        取付け板部
９        外側面部
１０      取付けバンド部
１１      螺ネジ
１２      窓孔
１３      取付けバンド部
１４      外側窓孔
１５      頭部付きボルト
１６      頭部
１７      螺ナット
１８      脚部
１９      間隙部
２０      表面部
２１      目盛
２２      折曲部
２３      貫通孔
２４      折曲部
２５      ナット
２６      囲壁部
２７      挿入孔
【図１】
0003131000.tif 000003
【図２】
0003131000.tif 000004
【図３】
0003131000.tif 000005
【図４】
0003131000.tif 000006
【図５】
0003131000.tif 000007
【図６】
0003131000.tif 000008
【手続補正書】
【提出日】平成19年2月20日(2007.2.20)
【手続補正１】
【補正対象書類名】実用新案登録請求の範囲
【補正対象項目名】全文
【補正方法】変更
【補正の内容】
【実用新案登録請求の範囲】
【請求項１】
電動丸鋸に装着のベース体に形成の挿入孔に挿入する電動丸鋸用定規において、
上壁面部と下壁面部と左側壁面部と右側壁面部からなる平板状摺動当て部の所定部位の前記右側壁面部から前記左側壁面部にかけて細長く、且前記右側壁面部から前記左側壁面部にかけての内側の中間部位に段部が形成され、前記右側壁面部側方を小径とし、他方左側壁面部側方を大径とする細長形状貫通孔を形成し、前記平板状摺動当て部の上壁面部と下壁面部の高さと同一もしくは若干短い幅員の定規取り付け板体の外側面部に蝶ネジを取付けた定規取付けバンド部を取付けると共に、前記バンド部を取付けた部位より若干の間隔を有する前記定規取り付け板体の部位に、前記平板状摺動当て部の貫通孔と同等もしくは若干大きい形状の窓孔を形成し、前記窓孔と相似形状の外側窓孔を有し、且頭部付きボルトを前記貫通孔の段部に前記ボルトの頭部を係止せしめ、前記貫通孔から前記外側窓孔へ飛出し、前記ボルトに螺ナットを螺着せしめる補助定規体の取付けバンド部を、前記定規取付け板体の外側面部に前記外側面部より若干外側方に所定の間隔を設けて飛出させて取着し、前記定規取付け板体を前記摺動当て部に固着せしめると共に、目盛付き定規体の折曲部を、前記定規取付けバンド部と前記定規取付け板体との間にネジを介して前記平板状摺動当て部に対し直交状に固着し、前記補助定規体の折曲部を前記定規取付け板体と補助定規体の取付けバンド部との間に嵌挿し、前記補助定規体が前記平板状摺動当て部と直交するよう前記頭部付きボルトとナットとをもって前記補助定規体をスライド自在に固定せしめることを特徴とする電動丸鋸用定規。
【請求項２】
前記目盛付き定規体と前記補助定規体の一端の折曲部を、夫々前記平板状摺動当て部の上壁面部と下壁面部との高さより短く、且直角状に折曲せしめることを特徴とする請求項１記載の電動丸鋸用定規。
【請求項３】
前記頭部付きボルトの頭部が、前記平板状摺動当て部の左側壁面部より飛出しない形状であることを特徴とする請求項１又は同２記載の電動丸鋸用定規。
【請求項４】
前記平板状摺動当て部を木製とし、前記定規取り付け板体を金属板製とすることを特徴とする請求項１又は同２又は同３記載の電動丸鋸用定規。
【手続補正２】
【補正対象書類名】明細書
【補正対象項目名】全文
【補正方法】変更
【補正の内容】
【考案の詳細な説明】
【技術分野】
【０００１】
本考案は、電動丸鋸に装着するベース体に挿入して使用する定規体を２本にして、前記丸鋸でのカッター作業時に丸鋸が揺動することなく、安定して切断作業がきるようにした電動丸鋸用定規の分野に関するものである。
【背景技術】
【０００２】
従来、電動丸鋸工具の切断幅決め定規として、登録第３０５１８７４号の登録実用新案公報が開示されている。
【０００３】
前記開示の登録実用新案公報の電動丸鋸工具の切断幅決め定規は、工具本体Ｂのベース部Ｂ−１に、丸鋸刃４の切断直進方向Ｘに対して直交状に且水平移動可能に装着される支持バー１・・・と記載されているように、前記目盛付き支持バー１は、一本しか使用されていない。
【０００４】
さらに、従来現物で丸鋸を使用する場合、基準の定規は付属のものを使用するか、あるいは市販されている一本の丸鋸用定規を使用していた。
【０００５】
また、丸鋸用一本定規は、丸鋸の工具を本体及び丸鋸刃の前方部に取着するため、板材等の切断時において、定規が一本のため不安定であり、しかも微妙に曲がりやすかった。従って電動丸鋸の作業時において、前記工具本体及び丸鋸刃を確実に直進させるのに、進行上のスピード等においてより慎重さが要求されていた。
【０００６】
【特許文献１】登録第３０５１８７４号登録実用新案公報
【考案の開示】
【考案が解決しようとする課題】
【０００７】
上記電動丸鋸工具の切断幅決め定規のように、電動丸鋸を介して、板材を所定の幅員にて切断するには、前記電動丸鋸がぶれないでカットすることが要求されている。
【０００８】
さらに、電動丸鋸を介して所定の幅員の板材をカットするのに、作業のスピード化も要求されている。
【０００９】
しかるに、本考案は、従来から電動丸鋸ベースに設けられている前方部と後方部の２個所に定規を挿入する嵌挿孔があることに着眼し、創作するに至ったものである。
【００１０】
従って、本考案の創作の目的は、平板状摺動部等と一体に固着した１本の目盛付き定規体は、電動丸鋸ベース体の前方部に設けられている嵌挿孔に挿入して、板材のカット寸法の測定を容易にし、前記ベース体の後方部に設けられている嵌挿孔には、平板状摺動部等に対しスライド自在な補助定規体（目盛なし）を前記ベース体の嵌挿孔に挿入することによって、電動丸鋸工具のぶれ現象を確実に阻止し、きれいな切り口にてカットができるようにした。
【００１１】
さらに、本考案は、前記のとおり、電動丸鋸工具のぶれ現象を確実に阻止して、作業性を著しく高めた。
【００１２】
また、本考案は、後方部の補助定規体をスライド自在にしたので、電動丸鋸工具の中、殊にベース体に設けられた嵌挿孔の位置が異なっていても、スライドすることによって十分な対応ができるようにした。
【００１３】
さらに、本考案は、メーカーによって前記ベース体の嵌挿孔が一個しかない場合、後方の補助定規体を取外すことによって対応できるようにした。
【００１４】
また、本考案は、ベース体の後方部の嵌挿孔に挿入する２本目の定規体を取着する頭部付きボルトの頭部が、前記平板状摺動部の左側壁面部より食み出さないようにセットして、板材の端縁部を摺動する平板状摺動部の滑りを阻害しないようにした。
【課題を解決するための手段】
【００１５】
課題を解決するための手段として、請求項１記載の事案は、電動丸鋸に装着のベース体に形成の挿入孔に挿入する電動丸鋸用定規において、
上壁面部と下壁面部と左側壁面部と右側壁面部からなる平板状摺動当て部の所定部位の前記右側壁面部から前記左側壁面部にかけて細長く、且前記右側壁面部から前記左側壁面部にかけての内側の中間部位に段部が形成され、前記右側壁面部側方を小径とし、他方左側壁面部側方を大径とする細長形状貫通孔を形成し、前記平板状摺動当て部の上壁面部と下壁面部の高さと同一もしくは若干短い幅員の定規取り付け板体の外側面部に蝶ネジを取付けた定規取付けバンド部を取付けると共に、前記バンド部を取付けた部位より若干の間隔を有する前記定規取り付け板体の部位に、前記平板状摺動当て部の貫通孔と同等もしくは若干大きい形状の窓孔を形成し、前記窓孔と相似形状の外側窓孔を有し、且頭部付きボルトを前記貫通孔の段部に前記ボルトの頭部を係止せしめ、前記貫通孔から前記外側窓孔へ飛出し、前記ボルトに螺ナットを螺着せしめる補助定規体の取付けバンド部を、前記取付け板体の外側面部に前記外側面部より若干外側方に所定の間隔を設けて飛出させて取着し、前記定規取付け板体を前記摺動当て部に固着せしめると共に、目盛付き定規体の折曲部を、前記定規取付けバンド部と前記定規取付け板体との間にネジを介して前記平板状摺動当て部に対し直交状に固着し、前記補助定規体の折曲部を前記定規取付け板体と補助定規体の取付けバンド部との間に嵌挿し、前記補助定規体が前記平板状摺動当て部と直交するよう前記頭部付きボルトとナットとをもって前記補助定規体をスライド自在に固定せしめることを特徴とする電動丸鋸用定規である。
【００１６】
課題を解決するための手段として、請求項２記載の事案は、前記目盛付き定規体と前記補助定規体の一端の折曲部を、夫々前記平板状摺動当て部の上壁面部と下壁面部との高さより短く、且直角状に折曲せしめることを特徴とする請求項１記載の電動丸鋸用定規である。
【００１７】
課題を解決するための手段として、請求項３記載の事案は、前記頭部付きボルトの頭部が、前記平板状摺動当て部の左側壁面部より飛出しない形状であることを特徴とする請求項１又は同２記載の電動丸鋸用定規である。
【００１８】
課題を解決するための手段として、請求項４記載の事案は、前記平板状摺動当て部を木製とし、前記定規取り付け板体を金属板製とすることを特徴とする請求項１又は同２又は同３記載の電動丸鋸用定規である。
【考案の効果】
【００１９】
請求項１記載の電動丸鋸用定規は、電動丸鋸に装着のベース体に形成の挿入孔に挿入する電動丸鋸用定規において、
上壁面部と下壁面部と左側壁面部と右側壁面部からなる平板状摺動当て部の所定部位の前記右側壁面部から前記左側壁面部にかけて細長く、且前記右側壁面部から前記左側壁面部にかけての内側の中間部位に段部が形成され、前記右側壁面部側方を小径とし、他方左側壁面部側方を大径とする細長形状貫通孔を形成し、前記平板状摺動当て部の上壁面部と下壁面部の高さと同一もしくは若干短い幅員の定規取り付け板体の外側面部に蝶ネジを取付けた定規取付けバンド部を取付けると共に、前記バンド部を取付けた部位より若干の間隔を有する前記定規取り付け板体の部位に、前記平板状摺動当て部の貫通孔と同等もしくは若干大きい形状の窓孔を形成し、前記窓孔と相似形状の外側窓孔を有し、且頭部付きボルトを前記貫通孔の段部に前記ボルトの頭部を係止せしめ、前記貫通孔から前記外側窓孔へ飛出し、前記ボルトに螺ナットを螺着せしめる補助定規体の取付けバンド部を、前記取付け板体の外側面部に前記外側面部より若干外側方に所定の間隔を設けて飛出させて取着し、前記定規取付け板体を前記摺動当て部に固着せしめると共に、目盛付き定規体の折曲部を、前記定規取付けバンド部と前記定規取付け体との間にネジを介して前記平板状摺動当て部に対し直交状に固着し、前記補助定規体の折曲部を前記定規取付け板体と補助定規体の取付けバンド部との間に嵌挿し、前記補助定規体が前記平板状摺動当て部と直交するよう前記頭部付きボルトとナットとをもって前記補助定規体をスライド自在に固定せしめることを特徴とする電動丸鋸用定規なので、電動丸鋸工具のベース体の嵌挿孔に２本の定規体を確実に嵌挿して、電動丸鋸を駆動せしめても、進行方向に対し丸鋸の刃部がぶれたりしない利点を有している。
【００２０】
さらに、本考案は、前記のとおり電動丸鋸が切断作業中に前記２本の定規体によって、前記電動丸鋸を確実に支持するので、前記電動丸鋸の切断時のスピードをアップせしめても、ぶれたりしない。
【００２１】
また、本考案は、前記のとおり２本の定規体を前記ベース体に固定し電動丸鋸工具を駆動せしめ、前記電動丸鋸工具がぶれずに進行し板材を切断するので、板材の切り口をきれいに仕上げることができる。
【００２２】
さらに、本考案は、後方の定規体をスライド自在にしたので、どのメーカー品のベース体にも適用できる利点を有している。
【００２３】
また、本考案は、メーカーによってベース体に設けられている嵌挿孔が一個の場合でも、前記後方の定規体を取外すことによって、他の目盛付き定規体のみで使用できる利点を有している。
【００２４】
請求項２記載の考案は、前記目盛付き定規体と前記補助定規体の一端の折曲部を、夫々前記平板状摺動当て部の上壁面部と下壁面部との高さより短く、且直角状に折曲せしめる電動丸鋸用定規なので、前記請求項１記載の考案と同じ効果を有している。
【００２５】
請求項３記載の考案は、前記頭部付きボルトの頭部が、前記平板状摺動当て部の左側壁面部より飛出しない形状である電動丸鋸用定規なので、前記請求項１又は同２記載の考案と同じ効果を有している。
【００２６】
請求項４記載の考案は、前記平板状摺動当て部を木製とし、前記定規取り付け板体を金属板製とする電動丸鋸用定規なので、前記請求項１又は同２又は同３記載の考案と同じ効果を有している。
【考案を実施するための最良の形態】
【００２７】
本考案の請求項１〜４記載の考案に関する実施形態は、共通しているので一括して以下のとおり説明する。
【００２８】
図面においてＡは本考案電動丸鋸用定規であり、以下の構成からなっている。
【００２９】
ａは前記電動丸鋸用定規Ａを構成する平板状摺動当て部であり以下の構成からなっている。
【００３０】
前記平板状摺動当て部ａは、断面が四辺形状をしており、上壁面部１と下壁面部２と左側壁面部３と右側壁面部４とからなっている。図面図示のとおり、前記左側面部３と右側壁面部４との幅員は、前記上壁面部１と下壁面部２との長さより短く形成されている。
【００３１】
さらに、前記左側壁面部３は、切断用木板５の端縁部５に当ててスライドをスムーズにせしめるために平滑状に形成されている。また前記右側壁面部４も平滑状に形成されている。
【００３２】
さらに、前記平板状摺動当て部ａの所定部位の前記右側壁面部４から前記左側壁面部３にかけて細長く、且前記右側壁面部４から左側壁面部３にかけての内側の中間部位に、段部６を形成する。
【００３３】
そして、前記右側壁面部４側方を小径とし、他方左側壁面部３側方を大径とする細長形状貫通孔７を形成する。
【００３４】
前記段部６も、前記細長形状貫通孔７に比例して同じ長さ分だけ形成する。
【００３５】
８は前記平板状摺動当て部ａの右側壁面部４に密着せしめ固着する金属板製の定規取付け板体であり、以下の構成からなっている。
【００３６】
前記定規取付け板体８は、前記摺動当て部ａの上壁面部１と下壁面部２の高さと同一もしくは若干短い幅員を有している。前記定規取付け板体８の外側面部９に螺ネジ１１を取付けた定規取付けバンド部１０を取付ける。
【００３７】
さらに、前記定規取り付け板体８に、前記バンド部１０より若干の間隔を開けて窓孔１２を形成する。
【００３８】
その窓孔１２の形状は、前記平板状摺動当て部ａの貫通孔７より若干大きい形状とする。
【００３９】
１３は補助定規体ｃの取付けバンド部であり、前記貫通孔７と相似形状の外側窓孔１４を有する。１５は幅員１６付きボルトであり、この頭部１６は、前記貫通孔７より前記外側窓孔１４へ飛出する。前記のように飛出したボルト１５に螺ナット１７を螺着する。
【００４０】
前記のように構成の補助定規体ｃの取付けバンド部１３は、前方部と後方部とを折曲して脚部１８を形成し、前記取付け板体８の外側面部９より若干外側方に所定の間隙部１９を設けて前記定規脚部１８と前記取付け板体８に固着する。前記の固着時には、前記貫通孔７と前記窓孔１２と前記外側窓孔１４とが合致するように固着される。
【００４１】
ｂは表面部２０に目盛２１を付した目盛付き定規体であり、その一端部は直角状に折曲して折曲部２２する。この折曲部２２の高さは、前記平板状摺動当て部ａの上壁面部１と下壁面部２との高さより短い形状とする。この定規体ｂは、折曲部２２を取付けバンド部１０と定規取付け板体８との間に嵌挿し、前記螺ネジ１１を締付けて前記定規体ｂを固定する。しかし、前記折曲部２２に貫通孔を設け前記螺ネジ１１を前記貫通孔にも螺着し強く固定してもよい。
【００４２】
前記のように組立てられた定規体ｂは、前記平板状摺動当て部ａに対し、図面図示のように平面よりみて直角状に固定されている。
【００４３】
ｃは補助定規体であり、その一端部には直角状に、且前記頭部付ボルト１５のボルト１５が貫通する貫通孔２３を有する折曲部２４を構成する。前記折曲部２４の長さも、前記目盛付き定規体ｂの折曲部２２と同じである。
【００４４】
前記補助定規体ｃは、折曲部２４を前記定規取付け板体８と前記補助定規取付けバンド部１３との間に嵌挿し、前記貫通孔７・・・に貫通せしめた頭部付ボルト１５を前記折曲部２４の貫通孔２３に貫通し、ナット１７をもって貫通孔７と窓孔１２と外側窓孔１４とをスライド自在に固定する。その結果、前記補助定規体ｃは、図面図示のように、前記摺動当て部ａに対し、平面よりみて直角状に固定されている。
【００４５】
さらに、前記頭部付きボルト１５の頭部１６は、前記貫通孔７に形成の段部６に係止されており、その係止時に前記ボルト１５の頭部１６が前記摺動当て部ａの左側壁面部４より飛出しない形状である。
【００４６】
ｄは電動丸鋸であり、ｅは前記電動丸鋸ｄに付設のベース体である。このベース体ｅには、ベース体ｅを構成する囲壁部２６に、前記目盛付き定規体ｂ等を挿入せしめる挿入孔２７が形成されている。前記挿入孔２７は、通常２箇所対称的に形成されているが、メーカーによっては一箇所しか形成していないベース体ｅもある。
【００４７】
本考案の電動丸鋸用定規Ａの２本の定規体を前記ベース体ｅの挿入孔２７に挿入せしめるには、従来使用してきた一本の定規の挿入手法と同じである。
【００４８】
しかし、前記ベース体ｅの挿入孔２７の間隔はメーカーによって若干相違しているので、本考案の補助定規体ｃをスライド式にして、どのメーカーのベース体ｅでも適用できるようにした。
【００４９】
前記のように、ベース体ｅの挿入孔２７に挿入した本考案の定規Ａは、前記摺動当て部ａを切断用板材５の端縁部５に当ててやる。
【００５０】
そして所定の幅員に切断するには、前記目盛付き定規体ｂの目盛に合せて位置決めをする。
【００５１】
上記のように、セットされた後、電動丸鋸ｄを前進させれば、前記定規Ａの２本の定規体ｂ、ｃがベース体ｅに確実固定されているので、電動丸鋸ｄの進行時にぶれが生じない利点を有している。
【図面の簡単な説明】
【００５２】
【図１】本考案電動丸鋸用定規の正面図である。
【００５３】
【図２】同定規の正面図である。
【００５４】
【図３】同定規の一部切欠拡大右側面図である。
【００５５】
【図４】同定規の一部切欠拡大左側面図である。
【００５６】
【図５】同定規の使用状態を示す一部切欠平面図である。
【００５７】
【図６】図５の一部切欠右側面図である。
【符号の説明】
【００５８】
Ａ        定規
ａ        摺動当て部
ｂ        目盛付き定規体
ｃ        補助定規体
ｄ        丸鋸
ｅ        ベース体
１        上壁面部
２        下壁面部
３        左側壁面部
４        右側壁面部
５        端縁部
６        段部
７        貫通孔
８        取付け板体
９        外側面部
１０      取付けバンド部
１１      螺ネジ
１２      窓孔
１３      取付けバンド部
１４      外側窓孔
１５      頭部付きボルト
１６      頭部
１７      螺ナット
１８      脚部
１９      間隙部
２０      表面部
２１      目盛
２２      折曲部
２３      貫通孔
２４      折曲部
２５      ナット
２６      囲壁部
２７      挿入孔